(57)【要約】【課題】電子ペーパに表示される画像の階調再現性を向上させること。【解決手段】表示画面を有する電子ペーパに対して、当該表示画面に表示させる画像の画像データを送信する画像書込装置において、電子ペーパと接続して通信を行う通信部６０と、複数のハーフトーン配列を記憶するＲＯＭ１２と、画像データに対してハーフトーン処理を含む画像処理を施す画像処理部５０と、通信部に接続された電子ペーパの表示画面の解像度を取得し、当該取得した解像度に応じたハーフトーン配列を選択し、当該選択したハーフトーン配列を用いたハーフトーン処理を画像処理部により画像データに対して施させ、当該ハーフトーン処理が施された画像データを通信部から電子ペーパへ送信させる制御部１０と、を備えた画像書込装置。【選択図】図９
2012113178.tif 000002
【特許請求の範囲】
【請求項１】
表示画面を有する電子ペーパに対して当該表示画面に表示させる画像の画像データを送信する画像書込装置において、
前記電子ペーパと接続して通信を行う通信部と、
予め設定された複数のハーフトーン配列を記憶するハーフトーン記憶部と、
前記画像データに対してハーフトーン処理を含む画像処理を施す画像処理部と、
前記通信部に接続された電子ペーパの表示画面の解像度を取得し、当該取得した前記解像度に応じて前記ハーフトーン記憶部からハーフトーン配列を選択し、当該選択したハーフトーン配列を用いたハーフトーン処理を前記画像処理部により前記画像データに対して施させ、当該ハーフトーン処理が施された画像データを前記通信部から前記電子ペーパへ送信させる制御部と、
を備えたこと、
を特徴とする画像書込装置。
【請求項２】
表示画面を有する電子ペーパに対して当該表示画面に表示させる画像の画像データを送信する画像書込装置において、
前記電子ペーパと接続して通信を行う通信部と、
予め設定された複数のハーフトーン配列を記憶するハーフトーン記憶部と、
前記画像データに対してハーフトーン処理を含む画像処理を施す画像処理部と、
前記電子ペーパの表示画面に表示された画像を読み取る画像読取部と、
前記通信部に接続された電子ペーパの表示画面の解像度を取得し、当該取得した前記解像度に応じて前記ハーフトーン記憶部からハーフトーン配列を選択し、前記画像処理部により画像処理が施された予め設定された階調特性検出用の画像データを前記通信部により前記電子ペーパに送信させ、当該階調特性検出用の画像データに基づいて前記電子ペーパの表示画面に表示された画像を前記画像読取部により読み取らせ、前記画像読取部が読み取った画像の階調特性に基づいて、前記電子ペーパに画像データを送信する際のハーフトーン処理の要否を判別し、当該判別結果に応じて、前記電子ペーパへ送信する画像データに対する前記画像処理部でのハーフトーン処理の要否情報と、ハーフトーン処理が要の場合において用いる前記選択したハーフトーン配列と、を含む画像処理設定情報を生成し、前記画像処理部により前記画像処理設定情報に応じた画像処理を前記電子ペーパに送信するために取得された画像データに対して施させ、前記画像処理部により画像処理が施された画像データを前記通信部から前記電子ペーパへ送信させる制御部と、
を備えること、
を特徴とする画像書込装置。
【請求項３】
階調特性検出用の画像データは、
予め設定された階調範囲内において互いに階調が異なる複数のパッチ画像から構成される第１パッチ群と、当該第１パッチ群と同一の第２パッチ群とを形成するものであり、
前記画像処理部は、
前記階調特性検出用の画像データに対してハーフトーン処理を施す際、前記第２パッチ群に対応する画像データに対してのみハーフトーン処理を施し、
前記制御部は、
前記画像読取部が読み取った画像うち前記第１パッチ群の階調特性に基づいて、前記電子ペーパに画像データを送信する際のハーフトーン処理の要否を判別すること、
を特徴とする請求項２に記載の画像書込装置。
【請求項４】
前記制御部は、
前記ハーフトーン処理の要否の判別結果が要の場合、前記第２パッチ群の階調特性に基づいてガンマ補正テーブルを生成し、当該生成したガンマ補正テーブルを含む画像処理設定情報を生成し、
前記画像処理部は、
前記画像データに対して前記ガンマ補正テーブルに応じたガンマ補正処理を含む画像処理を施すこと、
を特徴とする請求項３に記載の画像書込装置。
【請求項５】
前記制御部は、
前記ハーフトーン処理の要否の判別結果が不要の場合、前記第１パッチ群の階調特性に基づいてガンマ補正テーブルを生成し、当該生成したガンマ補正テーブルを含む画像処理設定情報を生成し、
前記画像処理部は、
前記画像データに対して前記ガンマ補正テーブルに応じたガンマ補正処理を含む画像処理を施すこと、
を特徴とする請求項３又は４に記載の画像書込装置。
【請求項６】
前記情報取得手段は、
前記電子ペーパを識別するために前記電子ペーパ毎に予め付与されている識別情報を取得し、
前記制御部は、
前記情報取得手段により取得した識別情報と、前記画像処理設定情報と、を関連付けて記憶部に記憶させること、
を特徴とする請求項２から５のいずれか一項に記載の画像書込装置。
【請求項７】
前記制御部は、
前記通信部に接続された前記電子ペーパの識別情報が前記記憶部に記憶されている場合、
前記記憶部から前記識別情報に関連付けられた前記画像処理設定情報を読み出し、前記画像処理部により当該読み出した画像処理設定情報に応じた画像処理を前記電子ペーパに送信するために取得された画像データに対して施させること、
を特徴とする請求項６に記載の画像書込装置。
【請求項８】
ネットワークと接続して通信を行なうネットワーク通信部を備え、
前記記憶部は、
前記ネットワーク通信部と前記ネットワークを介して接続されるサーバに設けられていること、
を特徴とする請求項６又は７に記載の画像書込装置。
【請求項９】
前記画像処理部は、
前記画像データに対してサイズ変換処理と回転処理と含む画像処理を施し、
前記制御部は、
前記通信部に接続された電子ペーパの表示画面のサイズを取得し、当該取得した表示画面のサイズに応じて前記画像データのサイズ変換処理と回転処理とを前記画像処理部により施させること、
を特徴とする請求項１から８のいずれか一項に記載の画像書込装置。
【請求項１０】
請求項１から９のいずれか一項に記載の画像書込装置と、
用紙に画像を形成する画像形成部と、
を備えたこと、
を特徴とする画像形成装置。
【発明の詳細な説明】
【技術分野】
【０００１】
本発明は、画像書込装置及び画像形成装置に関する。
【背景技術】
【０００２】
近年、画像データを書き換え可能に表示し、かつ、その表示状態を保持できる媒体として、電子ペーパが開発されており、特に、電子書籍等の分野において一層の技術開発が進められている。
【０００３】
電子ペーパの表示方式としては、ツイストボール方式やマイクロカプセル電気泳動方式等が用いられている。ツイストボール方式では、半球ごとに白と黒に塗り分けられた球状微粒子に印加する電解を制御することにより、球状微粒子の向きを制御して白黒画像が表示される。また、マイクロカプセル電気泳動方式では、互いに異なる電極に帯電している白と黒の顔料粒子が格納されている透明マイクロカプセルに対して、印加する正／負の電極の割合を変化させることにより顔料粒子を移動させることにより画像が表示される。
例えば、複数のマイクロカプセルを用いた電気泳動方式のページディスプレイ（電子ペーパ）で構成される電子ブックが開示されている（特許文献１参照）。
【０００４】
このような電子ペーパは、単に内部に記憶された画像データを表示する装置にとどまらず、インターフェースを介して接続された装置から転送された画像データを表示することも提案されている。この電子ペーパに画像データを転送する装置として、電子ペーパのガンマ情報や画面サイズに基づいて、スキャナで読み取った画像データを、ガンマ変換、回転、変倍し転送する画像複写装置が開示されている（特許文献２参照）。
【先行技術文献】
【特許文献】
【０００５】
【特許文献１】特開２００６−３９０６号公報
【特許文献２】特開２００８−２５２６３５号公報
【発明の概要】
【発明が解決しようとする課題】
【０００６】
ところで、自然画等の滑らかな階調変化を含む画像は、２５６階調であることが多い。自然画の階調数を２５６階調から順次半減していくと、６４階調までは階調値間の大きな画質低下はみられないが、３２階調には階調値間の画質低下が目立ち始め、主観評価点が急激に低下することが知られている。そのため、滑らかな階調変化を含む画像を表現するためには、少なくとも６４階調が必要であるとされている。
【０００７】
しかし、電子ペーパの解像度（表示画素密度）を高めるほど、隣接するマイクロカプセル間の距離が小さくなるため、互いに帯電状態の影響を受ける可能性が高くなり、マイクロカプセルに印加する電極の割合に応じた色が得られるとは限らない。そのため、現状の電子ペーパでは、画素単位において２階調から３２階調を再現可能なものとなっており、自然画を表示するためには階調数が不足している。
【０００８】
そこで、６４階調の画像を表示すべく、画像データにハーフトーン処理を施すことが考えられるが、電子ペーパの表示性能（画面表示サイズ、表示画素密度、階調再現性等）は、様々なものが開発されているため、一義的に設定したハーフトーン配列を使用しても充分な階調再現性を得られることができない。また、特許文献２に示す画像複写装置では、電子ペーパの階調数については言及しておらず、電子ペーパの表示性能に即した階調の画像を表示させることはできない。
【０００９】
本発明の課題は、上記問題に鑑みて、電子ペーパの表示性能に即した階調処理を施した画像データを電子ペーパに送信し、電子ペーパに表示される画像の階調再現性を向上させることである。
【課題を解決するための手段】
【００１０】
請求項１に記載の発明は、表示画面を有する電子ペーパに対して当該表示画面に表示させる画像の画像データを送信する画像書込装置において、前記電子ペーパと接続して通信を行う通信部と、予め設定された複数のハーフトーン配列を記憶するハーフトーン記憶部と、前記画像データに対してハーフトーン処理を含む画像処理を施す画像処理部と、前記通信部に接続された電子ペーパの表示画面の解像度を取得し、当該取得した前記解像度に応じて前記ハーフトーン記憶部からハーフトーン配列を選択し、当該選択したハーフトーン配列を用いたハーフトーン処理を前記画像処理部により前記画像データに対して施させ、当該ハーフトーン処理が施された画像データを前記通信部から前記電子ペーパへ送信させる制御部と、を備えた画像書込装置である。
【００１１】
請求項２に記載の発明は、表示画面を有する電子ペーパに対して当該表示画面に表示させる画像の画像データを送信する画像書込装置において、前記電子ペーパと接続して通信を行う通信部と、予め設定された複数のハーフトーン配列を記憶するハーフトーン記憶部と、前記画像データに対してハーフトーン処理を含む画像処理を施す画像処理部と、前記電子ペーパの表示画面に表示された画像を読み取る画像読取部と、前記通信部に接続された電子ペーパの表示画面の解像度を取得し、当該取得した前記解像度に応じて前記ハーフトーン記憶部からハーフトーン配列を選択し、前記画像処理部により画像処理が施された予め設定された階調特性検出用の画像データを前記通信部により前記電子ペーパに送信させ、当該階調特性検出用の画像データに基づいて前記電子ペーパの表示画面に表示された画像を前記画像読取部により読み取らせ、前記画像読取部が読み取った画像の階調特性に基づいて、前記電子ペーパに画像データを送信する際のハーフトーン処理の要否を判別し、当該判別結果に応じて、前記電子ペーパへ送信する画像データに対する前記画像処理部でのハーフトーン処理の要否情報と、ハーフトーン処理が要の場合において用いる前記選択したハーフトーン配列と、を含む画像処理設定情報を生成し、前記画像処理部により前記画像処理設定情報に応じた画像処理を前記電子ペーパに送信するために取得された画像データに対して施させ、前記画像処理部により画像処理が施された画像データを前記通信部から前記電子ペーパへ送信させる制御部と、を備えた画像書込装置である。
【００１２】
請求項３に記載の発明は、請求項２に記載の画像書込装置において、階調特性検出用の画像データは、予め設定された階調範囲内において互いに階調が異なる複数のパッチ画像から構成される第１パッチ群と、当該第１パッチ群と同一の第２パッチ群とを形成するものであり、前記画像処理部は、前記階調特性検出用の画像データに対してハーフトーン処理を施す際、前記第２パッチ群に対応する画像データに対してのみハーフトーン処理を施し、前記制御部は、前記画像読取部が読み取った画像うち前記第１パッチ群の階調特性に基づいて、前記電子ペーパに画像データを送信する際のハーフトーン処理の要否を判別する。
【００１３】
請求項４に記載の発明は、請求項３に記載の画像書込装置において、前記制御部は、前記ハーフトーン処理の要否の判別結果が要の場合、前記第２パッチ群の階調特性に基づいてガンマ補正テーブルを生成し、当該生成したガンマ補正テーブルを含む画像処理設定情報を生成し、前記画像処理部は、前記画像データに対して前記ガンマ補正テーブルに応じたガンマ補正処理を含む画像処理を施す。
【００１４】
請求項５に記載の発明は、請求項３又は４に記載の画像書込装置において、前記制御部は、前記ハーフトーン処理の要否の判別結果が不要の場合、前記第１パッチ群の階調特性に基づいてガンマ補正テーブルを生成し、当該生成したガンマ補正テーブルを含む画像処理設定情報を生成し、前記画像処理部は、前記画像データに対して前記ガンマ補正テーブルに応じたガンマ補正処理を含む画像処理を施す。
【００１５】
請求項６に記載の発明は、請求項２から５のいずれか一項に記載の画像書込装置において、前記情報取得手段は、前記電子ペーパを識別するために前記電子ペーパ毎に予め付与されている識別情報を取得し、前記制御部は、前記情報取得手段により取得した識別情報と、前記画像処理設定情報と、を関連付けて記憶部に記憶させる。
【００１６】
請求項７に記載の発明は、請求項６に記載の画像書込装置において、前記制御部は、前記通信部に接続された前記電子ペーパの識別情報が前記記憶部に記憶されている場合、記記憶部から前記識別情報に関連付けられた前記画像処理設定情報を読み出し、前記画像処理部により当該読み出した画像処理設定情報に応じた画像処理を前記電子ペーパに送信するために取得された画像データに対して施させる。
【００１７】
請求項８に記載の発明は、請求項６又は７に記載の画像書込装置において、ネットワークと接続して通信を行なうネットワーク通信部を備え、前記記憶部は、前記ネットワーク通信部と前記ネットワークを介して接続されるサーバに設けられている。
【００１８】
請求項９に記載の発明は、請求項１から８のいずれか一項に記載の画像書込装置において、前記画像処理部は、前記画像データに対してサイズ変換処理と回転処理と含む画像処理を施し、前記制御部は、前記通信部に接続された電子ペーパの表示画面のサイズを取得し、当該取得した表示画面のサイズに応じて前記画像データのサイズ変換処理と回転処理とを前記画像処理部により施させる。
【００１９】
請求項１０に記載の発明は、請求項１から９のいずれか一項に記載の画像書込装置と、用紙に画像を形成する画像形成部と、を備えた画像形成装置である。
【発明の効果】
【００２０】
本発明によれば、電子ペーパに表示される画像の階調再現性を向上させることができる。
【図面の簡単な説明】
【００２１】
【図１】本実施の形態における画像形成装置の概略構成図である。
【図２】本実施の形態における電子ペーパのブロック構成図である。
【図３】本実施の形態における画像形成装置のブロック構成図である。
【図４】階調特性検出用画像の例を示す図である。
【図５】ハーフトーン配列の一例を示す図である。
【図６】ハーフトーン選択テーブルの例を示す図である。
【図７】画像処理部の概略構成図である。
【図８】ハーフトーン処理部の概略構成図である。
【図９】電子ペーパ画像書込設定処理のフローチャートである。
【図１０】電子ペーパ画像書込処理のフローチャートである。
【発明を実施するための形態】
【００２２】
以下、図を参照して本発明の実施の形態を詳細に説明する。
まず、構成を説明する。
図１に、本実施の形態における画像形成装置の概略構成図を示す。
【００２３】
図１に示すように、画像形成装置１は、画像読取部２０と、操作表示部３０と、プリント部４０と、電子ペーパ２と接続して通信を行なう通信部６０等を備えて構成される。
【００２４】
画像読取部２０は、ＡＤＦ（Auto Document Feeder）と称される自動原稿送り部２１と読取部２２とを備え、操作表示部３０により受け付けられた情報に基づいて原稿の画像を読み取り、アナログ信号の画像データを生成する。自動原稿送り部２１の原稿トレイＴ１に載置された原稿は、読取個所であるコンタクトガラスに搬送され、光学系により原稿の片面又は両面の画像が読み取られ、ＣＣＤ（Charge Coupled Device）により原稿の画像が読み取られる。ここで、画像とは、図形や写真等の画像データに限らず、文字や記号等のテキストデータ等も含む意である。
【００２５】
操作表示部３０は、ＬＣＤ（Liquid Crystal Display）３１、ＬＣＤ３１を覆うように設けられたタッチパネル、各種スイッチやボタン、テンキー、操作キー群等から構成される。操作表示部３０は、ユーザからの指示を受け付けその操作信号を後述する制御部１０に出力し、また、制御部１０から入力される表示信号に従って、各種操作指示や設定情報を入力するための各種設定画面や各種処理結果等を表示する。
【００２６】
プリント部４０は、電子写真方式の画像形成処理を行うものであり、給紙部４１、用紙搬送部４２、画像形成部４３、定着部４４等のプリント出力に係る各部を備えて構成される。なお、本実施の形態のプリント部４０では、電子写真方式を適用した例を説明するが、これに限らず、インクジェット方式、熱昇華方式等、他のプリント方式を適用することとしてもよい。
【００２７】
給紙部４１は、複数の給紙トレイ、手差しトレイＴ２、トレイ毎に設けられた給紙ローラ、分離ローラ、給紙／分離ゴム、送り出しローラ等からなる給紙手段を備える。各給紙トレイには、用紙の種類（紙種、坪量、用紙サイズ等）毎に予め識別された用紙が格納されており、給紙トレイに格納されている用紙の最上部から一枚ずつ給紙手段により用紙搬送部４２に向けて搬送される。手差しトレイＴ２には、ユーザのニーズに合わせて様々な種類の用紙が積載可能となっており、給紙ローラによって積載された用紙の最上部から一枚ずつ用紙搬送部４２に向けて用紙が搬送される。
【００２８】
用紙搬送部４２は、給紙部４１から搬送された用紙を、複数の中間ローラ、レジストローラ等を経る画像形成部４３への用紙搬送経路上に用紙を搬送し、画像形成部４３の転写装置へと搬送する。
【００２９】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置、クリーニング部等を備え、用紙に画像を形成する機能を実現する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置において用紙に転写される。また、用紙にトナー像が転写された後、感光体ドラムの表面の残留トナー等は、クリーニング部により除去される。
なお、画像形成装置１がカラー画像を形成するものである場合には、画像形成部４３が色毎に設けられる。
【００３０】
定着部４４は、定着ヒータ、定着ローラ、定着外部加熱部等から構成され、用紙に転写されたトナー像を熱定着する。定着処理された用紙は、排紙ローラ等により搬出口から排紙トレイＴ３へ排出される。
【００３１】
通信部６０は、電子ペーパＩ／Ｆ（InterFace）６１、コネクタ６２、支持台６３等から構成され、コネクタ６２に接続された電子ペーパ２と通信を行なう。
【００３２】
図２に、本実施の形態における電子ペーパ２のブロック構成図を示す。
図２に示すように、電子ペーパ２は、画像書込制御部２１０、一時メモリ２２０、不揮発メモリ２３０、表示部２４０、通信Ｉ／Ｆ２５０、接続コネクタ２６０等を備えて構成されており、接続コネクタ２６０と画像形成装置１が備える通信部６０のコネクタ６２とが接続されることにより画像形成装置１と通信が行なわれる。
【００３３】
画像書込制御部２１０は、通信Ｉ／Ｆ２５０を介して入力される画像データを一時メモリ２２０に記憶させたり、一時メモリ２２０に記憶させた画像データを読み出して表示部２４０へ出力し、表示部の表示画面上に当該画像データに基づく画像を表示させたりする。
【００３４】
一時メモリ２２０は、通信Ｉ／Ｆ２５０から入力される画像データを一時的に記憶する記憶媒体である。
【００３５】
不揮発メモリ２３０は、例えば、フラッシュメモリ等のデータの書き換え可能な不揮発性の記憶媒体である。不揮発メモリ２３０には、電子ペーパ毎に予め設定されている識別情報（電子ペーパＩＤ）、表示部２４０が備える表示画面のサイズ及び解像度が記憶されている。
【００３６】
表示部２４０は、ツイストボール方式やマイクロカプセル電気泳動方式等を用いて構成された表示画面を備え、画像書込制御部２１０から入力された画像データに基づく画像を当該表示画面に表示させる。
【００３７】
通信Ｉ／Ｆ２５０は、接続コネクタ２６０に接続された画像形成装置１との通信を行なう。通信Ｉ／Ｆ２５０は、画像形成装置から入力される画像データを一時メモリ２２０へ格納したり、不揮発メモリ２３０に記憶している電子ペーパＩＤ、表示画面のサイズ及び解像度を画像形成装置へ出力したりする。
【００３８】
図３に、本実施の形態における画像形成装置１のブロック構成図を示す。
図３に示すように、画像形成装置１は、制御部１０、ＲＡＭ（Random Access Memory）１１、ＲＯＭ（Read Only Memory）１２、不揮発メモリ１３、ネットワークＩ／Ｆ１４、画像読取部２０、操作表示部３０、プリント部４０、画像処理部５０、通信部６０等がＣＰＵバス７０を介して通信可能に接続されて構成されている。また、画像形成装置１は、ネットワークＩ／Ｆ１４を介して外部のネットワーク４上の外部サーバ３と相互にデータ送受信可能に接続されている。
なお、図１を参照して説明した部分は、同一の符号を付して説明を省略する。
【００３９】
制御部１０は、ＣＰＵ（Central Processing Unit）等から構成され、ＲＯＭ１２に格納されているシステムプログラム及び各種アプリケーションプログラムの中から指定されたプログラムを読み出してＲＡＭ１１に展開し、ＲＡＭ１１に展開されたプログラムとの協働で、各種処理を実行し、画像形成装置１の各部を統括的に制御する。
【００４０】
また制御部１０は、ＲＯＭ１２から本実施の形態に係る電子ペーパ画像書込設定処理プログラムと、電子ペーパ画像書込処理プログラム、当該プログラム及び各種データとの協働により、電子ペーパ画像書込設定処理、電子ペーパ画像書込処理を実行する。
この電子ペーパ画像書込設定処理及び電子ペーパ画像書込処理を実行するために用いられる制御部１０、ＲＡＭ１１、ＲＯＭ１２、不揮発メモリ１３、画像読取部２０、操作表示部３０、画像処理部５０、通信部６０により、画像書込装置が実現される。
【００４１】
電子ペーパ画像書込設定処理では、通信部６０に接続された電子ペーパ２の表示画面の解像度が取得され、当該解像度に応じたハーフトーン配列が選択される。また、画像処理部５０により予め設定された階調特性検出用の画像データに対して画像処理が施され、画像処理済みの階調特性検出用の画像データが通信部６０により電子ペーパ２に送信される。階調特性検出用の画像データに基づいて電子ペーパ２の表示画面に表示された画像が画像読取部２０により読み取られ、当該読み取られた画像の階調特性に基づいて、電子ペーパ２に画像データを送信する際のハーフトーン処理の要否が判別され、当該判別結果に応じた画像処理設定情報が生成される。
そして、電子ペーパＩＤと画像処理設定情報とが関連付けられて不揮発メモリ１３に記憶されると共に、当該画像処理設定情報が画像処理部５０に設定される。
【００４２】
電子ペーパ画像書込処理では、画像処理部５０により画像処理設定情報に応じた画像処理が電子ペーパに送信するために取得された画像データに対して施され、当該画像処理が施された画像データが通信部６０から電子ペーパ２へ送信される。
【００４３】
図４に、階調特性検出用の画像データに基づいて形成される画像（階調特性検出用画像）の例を示す。図４に示すように、階調特性検出用画像Ｇ１には、第１パッチ群Ｐ１と、第２パッチ群Ｐ２と、位置検出用パッチ画像Ｍ１〜Ｍ６とが含まれている。
【００４４】
第１パッチ群Ｐ１と第２パッチ群Ｐ２とは、それぞれ６４個のパッチ画像Ｐを含んで構成されている。第１パッチ群Ｐ１に含まれる６４個のパッチ画像Ｐは、互いに階調値が異なる。各パッチ画像Ｐの階調値は、予め設定された階調範囲（例えば、８ｂｉｔ階調における０〜２５５）を第１パッチ群に含まれるパッチ画像数（６４）で均等に割った階調値差毎に振り分けられた値である。第２パッチ群Ｐ２に含まれる複数のパッチ画像Ｐも、第１パッチ群に含まれるパッチ画像Ｐと同様である。第１パッチ群Ｐ１は、電子ペーパの階調再現性を判定するためにハーフトーン処理が施されず、第２パッチ群Ｐ２は、設定されたハーフトーン配列でのハーフトーン処理が施される。
【００４５】
位置検出用パッチ画像Ｍ１〜Ｍ６は、第１パッチ群Ｐ１及び第２パッチ群Ｐ２の外周に設けられており、各パッチ画像の位置や第１パッチ群Ｐ１と第２パッチ群Ｐ２との領域を識別するために用いられる。
【００４６】
ＲＡＭ１１は、制御部１０により実行される各種プログラム及びこれらプログラムに係る各種データ等を一時的に記憶するワークエリアを形成する。また、ＲＡＭ１１には、画像読取部２０から入力された画像データを一時的に記憶する。
【００４７】
ＲＯＭ１２は、画像形成に係る各種処理プログラム及び各種データの他、本実施の形態に係る電子ペーパ画像書込設定処理プログラム、電子ペーパ画像書込処理プログラムと、電子ペーパ画像書込処理の実行に用いられるハーフトーン選択テーブル、階調特性検出用の画像データ等を記憶している。またＲＯＭ１２は、予め設定された複数のハーフトーン配列を記憶するハーフトーン記憶部として機能する。なお、複数のハーフトーン配列には、それぞれ識別符号が付されている。
【００４８】
図５に、ハーフトーン配列の一例を示す。
図５に示すハーフトーン配列は、主走査方向Ｘに２０画素、主走査方向と直交する副走査方向Ｙに２０画素、の複数の画素からなり、各画素には８ｂｉｔ階調０〜２５５のうちのいずれかの画素値が設定されている。
【００４９】
図６に、ハーフトーン選択テーブルの例を示す。
図６に示すように、ハーフトーン選択テーブルは、電子ペーパの解像度に応じてハーフトーン配列が設定されているものである。例えば、解像度Ｒが２０５ｄｐｉよりも小さい場合には、識別符号がＡのハーフトーン配列が設定されている。このハーフトーン配列Ａを解像度が２００ｄｐｉの画像に適用したときの線数が１１２ＬＰＩとなり、６００ｄｐｉの画像に適用したときの線数が３３５ＬＰＩとなる。
【００５０】
不揮発メモリ１３は、ＨＤＤ（Hard Disk Drive）等の書き換え可能な不揮発性の記憶媒体により構成されており、各種プログラムで処理されたデータ等を記憶する。また、不揮発メモリ１３には、電子ペーパ画像書込設定処理の実行により電子ペーパ毎に生成される画像処理設定情報を記憶するＤＢ（Date Base）１３ａが構築されており、不揮発メモリ１３は記憶部として機能する。
【００５１】
ネットワークＩ／Ｆ１４は、外部サーバ３が接続された外部のネットワーク４に接続するための通信インターフェースであり、外部サーバ３等と画像形成装置１との間で送受信されるデータの管理及び制御を行うネットワーク通信部として機能する。
【００５２】
外部サーバ３には、電子ペーパ画像書込設定処理の実行により電子ペーパ毎に生成される画像処理設定情報を記憶するＤＢ（Date Base）３ａが構築されている。
【００５３】
画像処理部５０は、入力された各種画像データに対して、制御部１０から入力される画像処理設定情報に基づいて、サイズ変換処理、回転処理、ガンマ補正処理、ハーフトーン処理を含む画像処理を施す。
【００５４】
図７に、画像処理部５０の概略構成図を示す。
図７に示すように、画像処理部５０は、画像処理制御部５１、入力画像メモリ５２、サイズ変換部５３、回転部５４、ガンマ補正部５５、ハーフトーン処理部５６、出力画像メモリ５７等を備えて構成されている。
【００５５】
画像処理制御部５１は、制御部１０からの指示に従って、画像処理部５０全体の動作を制御すると共に、画像処理部５０全体の動作状態を制御部１０へ出力する。また、画像処理制御部５１は、制御部１０からの指示に従って、入力画像メモリに入力された画像データに対するサイズ変換率、回転角度、ガンマ補正テーブル、ハーフトーン配列を示すデータ等を、サイズ変換部５３、回転部５４、ガンマ補正部５５、ハーフトーン処理部５６に設定する。
【００５６】
入力画像メモリ５２は、画像処理部５０によって各種画像処理が施される画像データ（以下、入力画像データとも称す）が格納される。
【００５７】
サイズ変換部５３は、画像処理制御部５１によって設定されたサイズ変換率で、入力画像データに対してサイズ変換処理を施す。
回転部５４は、画像処理制御部５１によって設定された回転角度で、サイズ変換処理済みの入力画像データに対して、回転処理を施す。
ガンマ補正部５５は、画像処理制御部５１によって設定されたガンマ補正テーブルを用いて、回転処理済みの入力画像データに対してガンマ補正処理を施す。
ハーフトーン処理部５６は、画像処理制御部５１によって設定されたハーフトーン配列を用いて、ガンマ補正済みの入力画像データに対してハーフトーン処理を施す。
【００５８】
出力画像メモリ５７は、サイズ変換処理、回転処理、ガンマ補正処理、ハーフトーン処理が施された入力画像データ（以下、出力画像データとも称す）が格納される。出力画像データは、制御部１０からの指示に従ってプリント部４０や通信部６０へ出力される。
【００５９】
図８に、ハーフトーン処理部５６の概略構成図を示す。
図８に示すように、ハーフトーン処理部５６は、配列座標算出部５６１、ハーフトーン画素値選出部５６２、比較部５６３、選択部５６４等を備えて構成される。
ハーフトーン処理部５６は、ガンマ補正部５５からガンマ補正済みの入力画像データの各画素の画素値Ｄと当該画素のＸ座標（Ｘ画素座標）Ｘｐｏｓ、Ｙ座標（Ｙ画素座標）Ｙｐｏｓが入力され、画像処理制御部５１からハーフトーン配列及び当該ハーフトーン配列の主走査方向の長さ（幅）Ｍｗと副走査方向の長さ（高さ）Ｍｈとが入力される。
【００６０】
配列座標算出部５６１は、配列幅レジスタ５６１ａ、配列高さレジスタ５６１ｂ、Ｘ配列座標算出部５６１ｃ、Ｙ配列座標算出部５６１ｄ等から成る。
配列幅レジスタ５６１ａには、ハーフトーン配列の幅Ｍｗが格納される。配列高さレジスタ５６１ｂには、ハーフトーン配列の高さＭｈが格納される。
【００６１】
Ｘ配列座標算出部５６１ｃは、入力画像データの画素（入力画素）のＸ画素座標Ｘｐｏｓが入力されると、当該Ｘ画素座標Ｘｐｏｓとハーフトーン配列の幅Ｍｗとから、ハーフトーン配列内での入力画素のＸ座標（Ｘ配列座標）Ｘｒｅｆを算出する。本実施の形態では、Ｘ画素座標Ｘｐｏｓをハーフトーンの幅Ｍｗで割った余りをＸ配列座標Ｘｒｅｆ（Ｘｒｅｆ＝Ｘｐｏｓ％Ｍｗ）として求めるものとする。
【００６２】
Ｙ配列座標算出部５６１ｄは、入力画素のＹ画素座標Ｙｐｏｓが入力され、当該Ｙ画素座標Ｙｐｏｓとハーフトーン配列の高さＭｈとから、ハーフトーン配列内での入力画素のＹ座標（Ｙ配列座標）Ｙｒｅｆを算出する。本実施の形態では、Ｙ画素座標Ｙｐｏｓをハーフトーンの高さＭｈで割った余りをＹ配列座標Ｙｒｅｆ（Ｙｒｅｆ＝Ｙｐｏｓ％Ｍｈ）として求めるものとする。
【００６３】
ハーフトーン画素値選出部５６２は、画像処理制御部５１から入力されたハーフトーン配列が格納される。また、ハーフトーン画素値選出部５６２は、配列座標算出部５６１から入力されたＸ配列座標ＸｒｅｆとＹ配列座標Ｙｒｅｆとに対応するハーフトーン配列上の画素値（ハーフトーン画素値）Ｔｄを選出し、当該ハーフトーン画素値Ｔｄを比較部５６３へ出力する。
【００６４】
比較部５６３は、入力画素の画素値Ｄとハーフトーン画素値Ｔｄとが入力されると、画素値Ｄとハーフトーン画素値Ｔｄとを比較する。比較部５６３は、画素値Ｄがハーフトーン画素値Ｔｄよりも大きい場合（Ｄ＞Ｔｄ）、最大階調値（例えば、黒に相当する８ｂｉｔ階調値２５５）をハーフトーン処理済画素値Ｄｔとして出力する。比較部５６３は、画素値Ｄがハーフトーン画素値Ｔｄ以下の場合（Ｄ≦Ｔｄ）、最小階調値（例えば、白に相当する８ｂｉｔ階調値０）をハーフトーン処理済画素値Ｄｔとして出力する。
【００６５】
選択部５６４は、入力画素の画素値Ｄとハーフトーン処理済画素値Ｄｔとが入力されると、画像処理制御部５１から入力される選択信号Ｓｄに従って、画素値Ｄ又はハーフトーン処理済画素値Ｄｔのいずれか一方を出力画素値Ｄｏｕｔとして出力する。
【００６６】
画像処理制御部５１には、入力画像データに対してハーフトーン処理を施さない画素領域（バイパス領域）が制御部１０により予め設定されており、入力画素の座標（Ｘｐｏｓ、Ｙｐｏｓ）が当該バイパス領域内である場合には、入力画素の画素値Ｄを出力画素値Ｄｏｕｔとして出力させる選択信号Ｓｄを出力し、入力画素の座標（Ｘｐｏｓ、Ｙｐｏｓ）が当該バイパス領域外である場合には、入力画素のハーフトーン処理済画素値Ｄｔを出力画素値Ｄｏｕｔとして出力させる選択信号Ｓｄを出力する。
【００６７】
次に、本実施の形態の動作を説明する。
図９に、本実施の形態における電子ペーパ画像書込設定処理のフローチャートを示す。図９に示す電子ペーパ画像書込設定処理は、制御部１０と各部とが協働して実行される。
【００６８】
通信部６０のコネクタ６２に電子ペーパが接続されると、制御部１０は、当該電子ペーパから通信部６０を介して入力される電子ペーパＩＤ、表示画面のサイズ及び解像度を取得する（ステップＳ１）。
【００６９】
そして制御部１０は、ステップＳ１において取得した電子ペーパＩＤが不揮発メモリ１３に構築されたＤＢ１３ａ内に登録されているかを検索し（ステップＳ２）、ＤＢ１３ａ内に電子ペーパＩＤが登録されているか否かを判別する（ステップＳ３）。
【００７０】
ＤＢ１３ａ内に電子ペーパＩＤが登録されている場合（ステップＳ３；ＹＥＳ）、制御部１０は、ＤＢから電子ペーパＩＤに関連付けられた画像処理設定情報を読み出して取得し（ステップＳ４）、ステップＳ１８の処理に進む。
【００７１】
ＤＢ内に電子ペーパＩＤが登録されていない場合（ステップＳ３；ＮＯ）、制御部１０は、ハーフトーン選択テーブルを参照し、ステップＳ１において取得した解像度に応じて設定されているハーフトーン配列を選択する（ステップＳ５）。
【００７２】
また、制御部１０は、画像処理部５０に対する画像処理条件を設定する（ステップＳ６）。ステップＳ６では、階調特性検出用の画像データの画像サイズと、ステップＳ１において取得した表示画面のサイズとに基づいて、サイズ変換率と回転角度とが算出される。また、階調特性検出用の画像データにおけるバイパス領域（ハーフトーン処理を施さない領域）が設定される。そして、サイズ変換率、回転角度、ステップＳ５において選択したハーフトーン配列、バイパス領域が画像処理条件として画像処理部５０に設定される。
なお、画像処理部５０のガンマ補正部５５には、階調特定検出用の画像データの階調特性を変換しないガンマ補正テーブルが設定される。
【００７３】
ステップＳ６において実行されるサイズ変換率と回転角度の算出について例を用いて説明する。階調特性検出用の画像データの画像サイズが幅３５０７画素，高さ２４８０画素（ＪＩＳ  Ａ４  ３００ｄｐｉ相当）であり、電子ペーパの表示画面のサイズが幅５１００画素，高さ６６００画素の場合を用いて説明する。
【００７４】
まず、階調特性検出用の画像データ、表示画面ぞれぞれの幅と高さの関係が比較される。階調特性検出用の画像データが幅よりも高さが小さい（幅＞高さ）のに対し、表示画面が幅よりも高さが大きい（幅＜高）ため、幅と高さの関係か一致していない。そのため、幅と高さの関係を一致させる回転角度（９０度）が設定される。
【００７５】
次に、回転後の階調特性検出用の画像データと表示画面との幅の比、高さの比が算出され、算出された幅の比と高さの比のうち比率が小さい方の値がサイズ変換率として設定される。
例えば、幅の比が５１００／２４８０≒２．０５６、高さの比が６６００／３５０７≒１．８８１である場合には、高さの比の方が幅の比よりも比率が小さいため、サイズ変換率が１．８８１倍に設定される。
【００７６】
バイパス領域の設定は、階調特性検出用の画像データ上において予め設定されているバイパス領域（図４では第１パッチ群を含む領域）が、設定した回転角度及びサイズ変換率に基づいて回転及びサイズ変換を行なった領域に変換され、当該変換済みの領域がバイパス領域として設定される。
【００７７】
制御部１０は、ステップＳ６において設定した画像処理条件の下で階調特性検出用の画像データに対する画像処理を画像処理部５０に実行させる（ステップＳ７）。
【００７８】
画像処理部５０は、入力画像データとして階調特性検出用の画像データが入力されると、当該階調特性検出用の画像データに対して、ステップＳ６において設定された画像処理条件に基づくサイズ変換処理、回転処理、ガンマ補正処理、スクリーン処理を含む画像処理を実行する。
【００７９】
制御部１０は、画像処理部５０により画像処理済みの階調特性検出用の画像データが得られると、当該階調特性検出用の画像データを通信部６０を介して電子ペーパへ送信する（ステップＳ８）。電子ペーパは、接続コネクタ２６０を介して接続された画像形成装置から階調特性検出用の画像データが入力されると、当該階調特性検出用の画像データに基づく画像（階調特性検出用画像）を表示部２４０の表示画面上に表示する。
【００８０】
また、制御部１０は、操作表示部３０のＬＣＤ３１上にガイダンス画面を表示させる（ステップＳ９）。ガイダンス画面には、「階調特性検出用画像が表示された電子ペーパを画像読取部２０の読取箇所上に置き、画像の読み取り開始の操作を行なってください。」等の電子ペーパに表示された階調特性検出用画像の読み取り開始操作を促すメッセージが表示される。
【００８１】
操作表示部３０からの操作信号に従って、画像読取部２０による電子ペーパに表示された階調特性検出用画像が読み取られると（ステップＳ１０）、制御部１０は、読み取った画像の解析を行なう（ステップＳ１１）。
【００８２】
ステップＳ１１では、読み取った階調特性検出用画像から複数の位置検出用パッチ画像を検出し、当該複数の位置検出用パッチ画像の位置に基づいて第１パッチ群と第２パッチ群との領域、各パッチ群を構成する各パッチ画像の領域が抽出される。そして各パッチ画像の領域毎に、平均階調値が算出される。
【００８３】
制御部１０は、電子ペーパの階調再現性を判定し（ステップＳ１２）、スクリーン処理が不要な６４階調以上の階調再現性があるか否かを判別する（ステップＳ１３）。
ステップＳ１２では、スクリーン処理が施されていない第１パッチ群の階調特性に基づいて、電子ペーパの階調再現性が判定される。階調再現性の判定では、第１パッチ群に含まれる複数のパッチ画像それぞれの平均階調値が小さい値から大きい値に向けて並べられた状態において、パッチ画像の平均階調値が単調増加しているか否かが判別される。平均階調値が単調増加している場合には、電子ペーパは、少なくとも６４階調以上の階調再現性があると判定され、スクリーン処理が不要であると判定される。平均階調値が単調増加していない場合には、電子ペーパは、６４階調以上の階調再現性がないと判定され、スクリーン処理が必要であると判定される。
【００８４】
電子ペーパには６４階調以上の階調再現性がある場合（ステップＳ１３；ＹＥＳ）、制御部１０は、第１パッチ群の階調特性を用いて、当該階調特性が予め設定された階調特性となるようにガンマ補正テーブルを生成する（ステップＳ１４）。
【００８５】
制御部１０は、ハーフトーン処理が不要であることを示すため、ハーフトーン処理の要否情報を示すハーフトーン処理フラグを０に設定し、当該ハーフトーン処理フラグとステップＳ１４において生成したガンマ補正テーブルとを含む画像処理設定情報を生成し、当該画像処理設定情報とステップＳ１において取得した電子ペーパＩＤとを関連付けてＤＢ１３ａへ記憶させ登録する（ステップＳ１５）。
【００８６】
電子ペーパには６４階調以上の階調再現性がない場合（ステップＳ１３；ＮＯ）、制御部１０は、第２パッチ群の階調特性を用いて、当該階調特性が予め設定された階調特性となるようにガンマ補正テーブルを生成する（ステップＳ１６）。
【００８７】
制御部１０は、ハーフトーン処理が必要であることを示すため、ハーフトーン処理フラグを１に設定し、当該ハーフトーン処理フラグと、ステップＳ５において選択したハーフトーン配列と、ステップＳ１６において生成したガンマ補正テーブルとを含む画像処理設定情報を生成し、当該画像処理設定情報とステップＳ１において取得した電子ペーパＩＤとを関連付けてＤＢ１３ａへ記憶させ登録する（ステップＳ１７）。
【００８８】
なお、電子ペーパＩＤと関連付けられた画像処理設定情報が外部サーバ３内のＤＢ３ａ内に登録されてもよい。この場合には、ステップＳ２では外部サーバ内のＤＢ３ａ内が検索され、ステップＳ４において、外部サーバ３内のＤＢ３ａから電子ペーパＩＤに関連付けられた画像処理設定情報が読み出される。そして、ステップＳ１５、Ｓ１７において、ＤＢ１３ａに替えて外部サーバ３内のＤＢ３ａに画像処理設定情報と電子ペーパＩＤとが関連付けられて記憶され登録されることとなる。
【００８９】
制御部１０は、ステップＳ４、ステップＳ１５又はステップＳ１７後、ＤＢ１３ａから取得又はＤＢ１３ａへ登録した画像処理設定情報を画像処理部へ設定し（ステップＳ１８）、電子ペーパ画像書込設定処理を終了する。
ステップＳ１８では、画像処理設定情報に含まれるガンマ補正テーブルがガンマ補正部に設定される。また、ハーフトーン処理フラグが１の場合には、ハーフトーン配列がハーフトーン処理部に設定され、ハーフトーン処理済画素値Ｄｔを出力画素値Ｄｏｕｔとして出力させる選択信号Ｓｄが設定される。ハーフトーン処理フラグが０の場合には、画素値Ｄを出力画素値Ｄｏｕｔとして出力させる選択信号Ｓｄが設定される。
【００９０】
図１０に、本実施の形態における電子ペーパ画像書込処理のフローチャートを示す。図１０に示す電子ペーパ画像書込処理は、制御部１０と各部とが協働して実行される。
【００９１】
電子ペーパ画像書込設定処理後、制御部１０は、電子ペーパへの書込み対象となる画像データを取得し、当該画像データを画像処理部５０の入力画像メモリ５２に入力画像データとして格納する（ステップＳ２１）。
ステップＳ２１では、操作表示部３０からの操作信号に従って画像読取部２０により原稿の画像が読み取られることによって画像データを取得したり、ネットワークＩ／Ｆ１４を介して接続された外部装置から送信された画像データを取得する。
【００９２】
制御部１０は、入力画像データの画像サイズを取得し（ステップＳ２２）、当該画像サイズと、電子ペーパ画像書込設定処理において取得した電子ペーパの表示画面のサイズとに基づいて、画像処理部５０に対する画像処理条件を設定する（ステップＳ２３）。
ステップＳ２３では、入力画像データの画像サイズと表示画面のサイズとに基づいて、サイズ変換率と回転角度とが算出され、当該サイズ変換率と回転角度が画像処理条件として画像処理部５０のサイズ変換部５３と回転部５４とにそれぞれ設定される。なお、ガンマ補正部やハーフトーン処理部への設定は、電子ペーパ画像書込設定処理のステップＳ１８により設定済みであるため、ここでは設定されない。
【００９３】
制御部１０は、ステップＳ２３において設定した画像処理条件の下で入力画像データに対して、サイズ変換処理、回転処理、ガンマ補正処理、スクリーン処理を含む画像処理を画像処理を画像処理部５０に実行させる（ステップＳ２４）。
【００９４】
制御部１０は、画像処理部５０により画像処理済みの入力画像データ（出力画像データ）が得られると、通信部６０を介して当該出力画像データを電子ペーパへ送信し（ステップＳ２５）、電子ペーパ画像書込処理を終了する。
【００９５】
電子ペーパは、接続コネクタ２６０を介して接続された画像形成装置から画像データが入力されると、当該画像データに基づく画像を表示部２４０の表示画面上に表示する。
【００９６】
以上のように、本実施の形態によれば、電子ペーパの表示画面の解像度に応じたハーフトーン配列を用いて画像処理を施した画像データを電子ペーパへ送信させることができるため、電子ペーパに表示される画像の階調再現性を向上させることができる。特に、電子ペーパの階調特性に基づいてハーフトーン処理の要否を判別でき、当該判別結果に応じて、ハーフトーン処理が必要な場合には、電子ペーパの解像度に応じたハーフトーン配列を用いたハーフトーン処理が施された画像データを電子ペーパへ送信させることができるため、電子ペーパに表示される画像の階調再現性を向上させることができる。
【００９７】
階調特性検出用画像には、ハーフトーン処理が施されない第１パッチ群と、ハーフトーン処理が施された第２パッチ群とからなるため、電子ペーパに送信する画像に対するハーフトーン処理の要否の判別を、ハーフトーン処理が施されていない第１パッチ群の画像の階調特性に基づいて、電子ペーパに送信する画像に対するハーフトーン処理の要否を判別することができる。そして、ハーフトーン処理の要否の判別結果が要の場合、電子ペーパの解像度に応じて選択したハーフトーン配列によりハーフトーン処理が施された第２パッチ群の画像の階調特性に基づいてガンマ補正テーブルを生成できる。そのため、ハーフトーンの要否を判断する場合と、ガンマ補正テーブルの生成を行なう場合とにおいて、それぞれの場合において、画像データを電子ペーパに表示させたり、表示された画像を読み取らせたりするという手間を省くことができる。
【００９８】
また、当該ガンマ補正テーブルに応じたガンマ補正処理と解像度に応じて選択されたハーフトーン配列に応じたハーフトーン処理が施された画像データを電子ペーパに送信できるため、電子ペーパに表示される画像の階調再現性を更に向上させることができる。
【００９９】
また、ハーフトーン処理の要否の判別結果が不要の場合、ハーフトーン処理が施されていない第１パッチ群の画像の階調特性に基づいてガンマ補正テーブルを生成でき、当該ガンマ補正テーブルに応じたガンマ補正処理が施された画像データを電子ペーパに送信できる。そのため、ハーフトーン処理が不要な電子ペーパであっても、電子ペーパに表示される画像の階調再現性を向上させることができる。
【０１００】
電子ペーパ毎に予め付与されている電子ペーパＩＤと画像処理設定情報とを関連付けてＤＢ１３ａ又は外部サーバ３内のＤＢ３ａに記憶させることができる。そして、ＤＢ１３ａ又は３ａに記憶させた画像処理設定情報を読み出して、電子ペーパに送信する画像データに対する画像処理を施すことができるため、画像データを送信する度に画像処理設定情報を生成する必要がなくなり、電子ペーパへ送信する画像データに対する処理の効率化を図ることができる。
【０１０１】
更に、外部のネットワーク４を介して接続される外部サーバ３内にＤＢ３ａを設けることにより、ＤＢ３ａ内に記憶された各電子ペーパの画像処理設定情報を他の画像書込装置が利用することができる。
【０１０２】
また、電子ペーパの表示画面のサイズに応じて、サイズ変換処理と回転処理と画像データに施すことができる。そのため、電子ペーパの表示画面のサイズに適した画像データを生成することができる。
【０１０３】
以上の説明では、本発明に係るプログラムのコンピュータ読み取り可能な媒体として、ＲＯＭ１２を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ（搬送波）も本発明に適用される。
【０１０４】
また、本発明は、上記実施の形態の内容に限定されるものではなく、本発明の主旨を逸脱しない範囲で適宜変更可能である。
【符号の説明】
【０１０５】
１  画像形成装置
２  電子ペーパ
３  外部サーバ
３ａ  ＤＢ
４  ネットワーク
１０  制御部
１１  ＲＡＭ
１２  ＲＯＭ
１３  不揮発メモリ
１３ａ  ＤＢ
１４  ネットワークＩ／Ｆ
２０  画像読取部
２１  自動原稿送り部
２２  読取部
３０  操作表示部
３１  ＬＣＤ
４０  プリント部
４１  給紙部
４２  用紙搬送部
４３  画像形成部
４４  定着部
５０  画像処理部
５１  画像処理制御部
５２  入力画像メモリ
５３  サイズ変換部
５４  回転部
５５  ガンマ補正部
５６  ハーフトーン処理部
５７  出力画像メモリ
６０  通信部
６１  電子ペーパＩ／Ｆ
６２  コネクタ
６３  支持台
７０  ＣＰＵバス
２１０  画像書込制御部
２２０  一時メモリ
２３０  不揮発メモリ
２４０  表示部
２５０  通信Ｉ／Ｆ
２６０  接続コネクタ
５６１  配列座標算出部
５６１ａ  配列幅レジスタ
５６１ｂ  配列高さレジスタ
５６１ｃ  Ｘ配列座標算出部
５６１ｄ  Ｙ配列座標算出部
５６２  ハーフトーン画素値選出部
５６３  比較部
５６４  選択部
Ｇ１  階調特性検出用画像
Ｍ１〜Ｍ６  位置検出用パッチ画像
Ｐ  パッチ画像
Ｐ１  第１パッチ群
Ｐ２  第２パッチ群
Ｔ１  原稿トレイ
Ｔ２  手差しトレイ
Ｔ３  排紙トレイ
Ｘ  主走査方向
Ｙ  副走査方向
【図１】
2012113178.tif 000003
【図２】
2012113178.tif 000004
【図３】
2012113178.tif 000005
【図４】
2012113178.tif 000006
【図５】
2012113178.tif 000007
【図６】
2012113178.tif 000008
【図７】
2012113178.tif 000009
【図８】
2012113178.tif 000010
【図９】
2012113178.tif 000011
【図１０】
2012113178.tif 000012